(57)【要約】【課題】読み取り対象書類の取り忘れを防止可能な読取装置を提供する。【解決手段】読み取り対象書類が載置される載置部６１と、載置部６１に載置された読み取り対象書類を読み取る読取部と、透過状態と不透過状態とに切り替え可能な調光シート１０４と、調光シート１０４の一方に配置され、画像及び映像の少なくともいずれか一方を表示する透過型の液晶パネルと、読取部によって読み取り対象書類を読み取り後に、液晶パネル及び調光シート１０４を透過状態にして、載置部６１に載置された読み取り対象書類を液晶パネルの一方から視認可能な状態にする制御部とを備える。【選択図】図２
2017174183.tif 000002
【特許請求の範囲】
【請求項１】
読み取り対象書類が載置される載置部と、
前記載置部に載置された前記読み取り対象書類を読み取る読取部と、
透過状態と不透過状態とに切り替え可能な調光シートと、
前記調光シートの一方に配置され、画像及び映像の少なくともいずれか一方を表示する透過型の液晶パネルと、
前記読取部によって前記読み取り対象書類を読み取り後に、前記液晶パネル及び前記調光シートを透過状態にして、前記載置部に載置された前記読み取り対象書類を前記液晶パネルの一方から視認可能な状態にする制御部とを備える
ことを特徴とする読取装置。
【請求項２】
前記制御部は、前記液晶パネルの画像及び映像の少なくともいずれか一方の一部を透過状態にする
ことを特徴とする請求項１に記載の読取装置。
【請求項３】
前記制御部は、前記読取部によって前記読み取り対象書類を読み取る前に、前記液晶パネル及び前記調光シートを透過状態にして、前記載置部を前記透過型の液晶パネルの一方から視認可能な状態にする
ことを特徴とする請求項１又は２に記載の読取装置。
【請求項４】
前記読み取り対象書類がセットされる空間部が設けられている本体と、
前記本体に支持され、前記空間部の開口部を開閉する蓋体とを備え、
前記本体は、前記載置部と、前記読取部と、前記制御部とを有し、
前記蓋体は、前記調光シートと、前記透過型の液晶パネルとを有する
ことを特徴とする請求項１乃至３の何れか一項に記載の読取装置。
【請求項５】
前記蓋体は、前記液晶パネルの一方に配置されるタッチパネルを更に有する
ことを特徴とする請求項４に記載の読取装置。
【請求項６】
前記本体は、前記空間部を形成する後面及び側面に本体光源を更に有する
ことを特徴とする請求項４又は５に記載の読取装置。
【請求項７】
前記本体は、前記蓋体の開閉を検知する開閉検知部を更に有し、
前記制御部は、前記開閉検知部によって前記蓋体が開けられたことを検知すると、前記本体光源の明るさを前記蓋体が閉じられていたときよりも抑える
ことを特徴とする請求項６に記載の読取装置。
【請求項８】
前記蓋体は、前記本体の前記空間部を形成する後面に対して傾斜して配置されている
ことを特徴とする請求項６又は７に記載の読取装置。
【請求項９】
前記蓋体は、裏面に蓋体光源を更に有する
ことを特徴とする請求項４乃至８の何れか一項に記載の読取装置。
【請求項１０】
前記蓋体は、前記本体に回動可能に設けられ、
前記本体は、
前記載置部に載置された前記読み取り対象書類を押える透明な押さえ板と、
前記押さえ板と前記蓋体とを連結させ、前記蓋体の開閉に応じて連動して前記押さえ板を開閉させる連動部材とを更に有する
ことを特徴とする請求項４乃至９の何れか一項に記載の読取装置。
【請求項１１】
前記本体は、前記蓋体をロックするロック部を更に有し、
前記制御部は、待機時、前記読取部による前記読み取り対象書類の読み取り時、及び、前記読取部によって前記読み取り対象書類が読み取られた後に所定時間以上経過したときに、前記ロック部によって前記蓋体をロックする
ことを特徴とする請求項４乃至１０の何れか一項に記載の読取装置。
【請求項１２】
前記本体は、前記蓋体を開閉駆動する開閉部を更に有する
ことを特徴とする請求項４乃至１１の何れか一項に記載の読取装置。
【請求項１３】
前記本体は、下部に向けて照射するように設置される多色発光可能な外部光源を更に有し、
前記制御部は、前記外部光源を当該読取装置の状態に応じて異なる色で発光させる
ことを特徴とする請求項４乃至１２の何れか一項に記載の読取装置。
【請求項１４】
前記本体は、前面又は側面に設けられ、仕切板光源が搭載された仕切板を更に有し、
前記制御部は、前記仕切板光源を当該読取装置の状態に応じて異なる色で発光させる
ことを特徴とする請求項４乃至１３の何れか一項に記載の読取装置。
【請求項１５】
前記本体は、書類を印刷する印刷部を更に有する
ことを特徴とする請求項４乃至１４の何れか一項に記載の読取装置。
【請求項１６】
前記本体は、カードを発行するカード発行部を更に有する
ことを特徴とする請求項４乃至１５の何れか一項に記載の読取装置。
【請求項１７】
前記本体に隣接して設置される補助部を更に備える
ことを特徴とする請求項４乃至１６の何れか一項に記載の読取装置。
【請求項１８】
前記補助部は、上面に平坦な作業部を有する作業台である
ことを特徴とする請求項１７に記載の読取装置。
【請求項１９】
前記補助部は、上面に平坦な作業部を有する貨幣処理機である
ことを特徴とする請求項１７に記載の読取装置。
【請求項２０】
前記補助部は、書類を印刷する印刷部を更に有する
ことを特徴とする請求項１７乃至１９の何れか一項に記載の読取装置。
【請求項２１】
前記補助部は、カードを発行するカード発行部を更に有する
ことを特徴とする請求項１７乃至２０の何れか一項に記載の読取装置。
【発明の詳細な説明】
【技術分野】
【０００１】
本発明は、読取装置に関する。
【背景技術】
【０００２】
例えば、自動契約装置のような金融端末装置として用いられる読取装置では、運転免許証や健康保険証などの本人確認書類を読み取る読取部を備えている（例えば特許文献１参照）。
【先行技術文献】
【特許文献】
【０００３】
【特許文献１】特開平１１−０２５２７３号公報
【発明の概要】
【発明が解決しようとする課題】
【０００４】
しかしながら、読み取り対象書類である本人確認書類を読取部に読み取らせるために蓋体を開けて載置部にセットすると、本人確認書類が蓋体などによって覆われて隠されてしまうので、本人確認書類を取り忘れてしまうことがある。
【０００５】
したがって、本発明は、読み取り対象書類の取り忘れを防止可能な読取装置の提供を目的とする。
【課題を解決するための手段】
【０００６】
上記目的を達成するために、本発明に係る第１の態様は、読み取り対象書類が載置される載置部と、前記載置部に載置された前記読み取り対象書類を読み取る読取部と、透過状態と不透過状態とに切り替え可能な調光シートと、前記調光シートの一方に配置され、画像及び映像の少なくともいずれか一方を表示する透過型の液晶パネルと、前記読取部によって前記読み取り対象書類を読み取り後に、前記液晶パネル及び前記調光シートを透過状態にして、前記載置部に載置された前記読み取り対象書類を前記液晶パネルの一方から視認可能な状態にする制御部とを備えることを特徴とする。
【０００７】
上記第１の態様によれば、制御部が、液晶パネル及び調光シートを透過状態にして、載置部に載置された読み取り対象書類を透過型の液晶パネルの一方から視認可能な状態にすることで、載置部にセットされた読み取り対象書類を使用者に視認可能にすることができる。よって、読み取り対象書類の取り忘れを防止することができる。また、液晶パネルに画像及び映像の少なくともいずれか一方を表示しつつ、載置部にセットされた読み取り対象書類を使用者に視認可能にすることができるため、表示機構と取り忘れ防止機構とを兼用することができる。よって、液晶パネルとは別に別途取り忘れ防止機構を搭載する場合よりも、費用を削減することができ、装置のスペース効率を上げることができる。
【０００８】
本発明に係る第２の態様は、第１の態様において、前記制御部は、前記液晶パネルの画像及び映像の少なくともいずれか一方の一部を透過状態にすることを特徴とする。
【０００９】
上記第２の態様によれば、制御部が、液晶パネルの画像及び映像の少なくともいずれか一方の一部を透過状態にするため、液晶パネルの残りの部分で表示を行うことができる。
【００１０】
本発明に係る第３の態様は、第１又は第２の態様において、前記制御部は、前記読取部によって前記読み取り対象書類を読み取る前に、前記液晶パネル及び前記調光シートを透過状態にして、前記載置部を前記透過型の液晶パネルの一方から視認可能な状態にすることを特徴とする。
【００１１】
上記第３の態様によれば、制御部が、読取部によって読み取り対象書類を読み取る前に、載置部を透過型の液晶パネルの一方から視認可能な状態にするため、読み取り前に載置部への読み取り対象書類の載置を促すことができる。
【００１２】
本発明に係る第４の態様は、第１乃至第３の何れか一の態様において、前記読み取り対象書類がセットされる空間部が設けられている本体と、前記本体に支持され、前記空間部の開口部を開閉する蓋体とを備え、前記本体は、前記載置部と、前記読取部と、前記制御部とを有し、前記蓋体は、前記調光シートと、前記透過型の液晶パネルとを有することを特徴とする。
【００１３】
上記第４の態様によれば、読み取り対象書類がセットされる空間部が設けられた本体に載置部と読取部と制御部とを設け、この本体の空間部の開口部を、調光シートと透過型の液晶パネルとを有する蓋体によって開閉することになるため、構成を簡素化することが可能となる。
【００１４】
本発明に係る第５の態様は、第４の態様において、前記蓋体は、前記液晶パネルの一方に配置されるタッチパネルを更に有することを特徴とする。
【００１５】
上記第５の態様によれば、蓋体の液晶パネルの前方にタッチパネルが配置されているため、操作性が良くなる。
【００１６】
本発明に係る第６の態様は、第４又は第５の態様において、前記本体は、前記空間部を形成する後面及び側面に本体光源を更に有することを特徴とする。
【００１７】
上記第６の態様によれば、本体の空間部を形成する後面及び側面に本体光源を更に有するため、蓋体全体に均一に光を照射することができる。
【００１８】
本発明に係る第７の態様は、第６の態様において、前記本体は、前記蓋体の開閉を検知する開閉検知部を更に有し、前記制御部は、前記開閉検知部によって前記蓋体が開けられたことを検知すると、前記本体光源の明るさを前記蓋体が閉じられていたときよりも抑えることを特徴とする。
【００１９】
上記第７の態様によれば、制御部が、開閉検知部によって蓋体が開けられたことを検知すると、本体光源の明るさを蓋体が閉じられていたときよりも抑えるため、使用者が眩しく感じることを防止できる。
【００２０】
本発明に係る第８の態様は、第６又は第７の態様において、前記蓋体は、前記本体の前記空間部を形成する後面に対して傾斜して配置されていることを特徴とする。
【００２１】
上記第８の態様によれば、蓋体が、本体の空間部を形成する後面に対して傾斜して配置されているため、使用者の液晶パネルへの目線の先に後面の光源が位置することがなく、透過状態の液晶パネルを見る際や蓋体を開けて載置部を見る際に、使用者が、本体の空間部を形成する後面からの光を眩しく感じることを防止できる。
【００２２】
本発明に係る第９の態様は、第４乃至第８のいずれか一の態様において、前記蓋体は、裏面に蓋体光源を更に有することを特徴とする。
【００２３】
上記第９の態様によれば、蓋体が、裏面に蓋体光源を更に有するため、蓋体全体に均一に光を照射することができる。
【００２４】
本発明に係る第１０の態様は、第４乃至第９のいずれか一の態様において、前記蓋体は、前記本体に回動可能に設けられ、前記本体は、前記載置部に載置された前記読み取り対象書類を押える透明な押さえ板と、前記押さえ板と前記蓋体とを連結させ、前記蓋体の開閉に応じて連動して前記押さえ板を開閉させる連動部材とを更に有することを特徴とする。
【００２５】
上記第１０の態様によれば、連動部材が蓋体の開閉に応じて連動して押さえ板を開閉させるため、蓋体を閉じることで、載置部に載置された読み取り対象書類を自動的に押さえ板で押えることができ、蓋体を開くことで載置部に載置された読み取り対象書類から自動的に押さえ板を離すことができる。
【００２６】
本発明に係る第１１の態様は、第４乃至第１０のいずれか一の態様において、前記本体は、前記蓋体をロックするロック部を更に有し、前記制御部は、待機時、前記読取部による前記読み取り対象書類の読み取り時、及び、前記読取部によって前記読み取り対象書類が読み取られた後に所定時間以上経過したときに、前記ロック部によって前記蓋体をロックすることを特徴とする。
【００２７】
上記第１１の態様によれば、待機時、読取部による読み取り対象書類の読み取り時、及び、読取部によって読み取り対象書類が読み取られた後に所定時間以上経過したときに、制御部が、ロック部によって蓋体をロックするため、不必要に蓋体が開かれてしまうことを防止できる。
【００２８】
本発明に係る第１２の態様は、第４乃至第１１のいずれか一の態様において、前記本体は、前記蓋体を開閉駆動する開閉部を更に有することを特徴とする。
【００２９】
上記第１２の態様によれば、蓋体を本体に対し開閉部で自動的に開閉することができる。
【００３０】
本発明に係る第１３の態様は、第４乃至第１２のいずれか一の態様において、前記本体は、下部に向けて照射するように設置される多色発光可能な外部光源を更に有し、前記制御部は、前記外部光源を当該読取装置の状態に応じて異なる色で発光させることを特徴とする。
【００３１】
上記第１３の態様によれば、制御部が、外部光源を当該読取装置の状態に応じて異なる色で発光させるため、外部光源の色で当該読取装置の状態を容易に確認することができる。
【００３２】
本発明に係る第１４の態様は、第４乃至第１３のいずれか一の態様において、前記本体は、前面又は側面に設けられ、仕切板光源が搭載された仕切板を更に有し、前記制御部は、前記仕切板光源を当該読取装置の状態に応じて異なる色で発光させることを特徴とする。
【００３３】
上記第１４の態様によれば、制御部が、仕切板光源を当該読取装置の状態に応じて異なる色で発光させるため、仕切板光源の色で当該読取装置の状態を容易に確認することができる。
【００３４】
本発明に係る第１５の態様は、第４乃至第１４のいずれか一の態様において、前記本体は、書類を印刷する印刷部を更に有することを特徴とする。
【００３５】
上記第１５の態様によれば、本体が、書類を印刷する印刷部を更に有するため、印刷部で書類を印刷することができる。
【００３６】
本発明に係る第１６の態様は、第４乃至第１５のいずれか一の態様において、前記本体は、カードを発行するカード発行部を更に有することを特徴とする。
【００３７】
上記第１６の態様によれば、カード発行部でカードを発行することができる。
【００３８】
本発明に係る第１７の態様は、第４乃至第１６のいずれか一の態様において、前記本体に隣接して設置される補助部を更に備えることを特徴とする。
【００３９】
上記第１７の態様によれば、本体に隣接して設置された補助部で補助的な作業を行うことができる。
【００４０】
本発明に係る第１８の態様は、第１７の態様において、前記補助部は、上面に平坦な作業部を有する作業台であることを特徴とする。
【００４１】
上記第１８の態様によれば、作業台の平坦な作業部で補助的な作業を行うことができる。
【００４２】
本発明に係る第１９の態様は、第１７の態様において、前記補助部は、上面に平坦な作業部を有する貨幣処理機であることを特徴とする。
【００４３】
上記第１９の態様によれば、貨幣処理機の平坦な作業部で補助的な作業を行うことができる。また、貨幣処理機で貨幣処理を行うことができる。
【００４４】
本発明に係る第２０の態様は、第１７乃至第１９のいずれか一の態様において、前記補助部は、書類を印刷する印刷部を更に有することを特徴とする。
【００４５】
上記第２０の態様によれば、印刷部で書類を印刷することができる。
【００４６】
本発明に係る第２１の態様は、第１７乃至第２０のいずれか一の態様において、前記補助部は、カードを発行するカード発行部を更に有することを特徴とする。
【００４７】
上記第２１の態様によれば、カード発行部でカードを発行することができる。
【発明の効果】
【００４８】
本発明によれば、読み取り対象書類の取り忘れを防止可能な読取装置を提供することができる。
【図面の簡単な説明】
【００４９】
【図１】本発明に係る読取装置の一実施形態としての自動契約装置を示す蓋体を閉じた状態の斜視図である。
【図２】本発明に係る読取装置の一実施形態としての自動契約装置を示す蓋体を開いた状態の斜視図である。
【図３】本発明に係る読取装置の一実施形態としての自動契約装置を示す蓋体を開いた状態の斜視図である。
【図４】本発明に係る読取装置の一実施形態としての自動契約装置を示す制御系のブロック図である。
【図５】本発明に係る読取装置の一実施形態としての自動契約装置及び携帯端末を示すもので、（ａ）は側面図、（ｂ）は背面図である。
【図６】本発明に係る読取装置の一実施形態としての自動契約装置の蓋体を示す断面図である。
【図７】本発明に係る読取装置の一実施形態としての自動契約装置の液晶パネルの初期画面の表示例を示す図である。
【図８】本発明に係る読取装置の一実施形態としての自動契約装置の液晶パネルの契約条件画面の表示例を示す図である。
【図９】本発明に係る読取装置の一実施形態としての自動契約装置の液晶パネルの証明書選択画面の表示例を示す図である。
【図１０】本発明に係る読取装置の一実施形態としての自動契約装置の液晶パネルの証明書選択画面の一部の表示例を示す図である。
【図１１】本発明に係る読取装置の一実施形態としての自動契約装置の液晶パネルの証明書誘導画面の表示例を示す図である。
【図１２】本発明に係る読取装置の一実施形態としての自動契約装置の液晶パネルの証明書セット画面の表示例を示す図である。
【図１３】本発明に係る読取装置の一実施形態としての自動契約装置の液晶パネルの読み取り画面の表示例を示す図である。
【図１４】本発明に係る読取装置の一実施形態としての自動契約装置の液晶パネルの確認画面の表示例を示す図である。
【図１５】本発明に係る読取装置の一実施形態としての自動契約装置の液晶パネルの証明書取り出し画面の表示例を示す図である。
【図１６】本発明に係る読取装置の一実施形態としての自動契約装置の液晶パネルの情報入力画面の表示例を示す図である。
【図１７】本発明に係る読取装置の一実施形態としての自動契約装置の液晶パネルの印刷中画面の表示例を示す図である。
【図１８】本発明に係る読取装置の一実施形態としての自動契約装置の液晶パネルの手続き完了画面の表示例を示す図である。
【図１９】本発明に係る読取装置の一実施形態としての自動契約装置の変形例を示す斜視図である。
【図２０】本発明に係る読取装置の一実施形態としての自動契約装置の別の変形例を示す斜視図である。
【図２１】本発明に係る読取装置の一実施形態としての自動契約装置の更に別の変形例を示す斜視図である。
【図２２】本発明に係る読取装置の一実施形態としての自動契約装置の更に別の変形例を示す斜視図である。
【発明を実施するための形態】
【００５０】
本発明に係る読取装置の一実施形態としての自動契約装置を図面を参照して以下に説明する。
【００５１】
図１に示す本実施形態の自動契約装置１１は、銀行、消費者金融、クレジットカード会社、小売店（コンビニエンスストア、スーパーマーケット）などの店舗に設置され、口座開設、ローンや口座振替の申込みなどの契約の一部を顧客自らが行えるように支援するものである。例えば、口座開設の主な流れは、本人確認、申込書の記入、審査、契約書への署名、通帳・カードの発行の順となるが、自動契約装置１１では、そのうちの本人確認及び申込書の記入を行う。その後の、審査、契約書への署名、及び、通帳・カードの発行は、店舗の店舗カウンタなどで行われる。以下の説明において、使用者側を「前」、使用者とは反対側を「後」、使用者から見た左右を「左右」として説明する。
【００５２】
自動契約装置１１は、店舗のフロアに設置される本体１２と、本体１２の上部に図１，図２に示すように回動可能に設けられた蓋体１３とを有している。
【００５３】
本体１２は、その筐体２０が角柱状、具体的には四角柱状に、板金を主体として形成されている。本体１２は、その底部に設けられてフロア上に水平に広がるように設置される平板状の転倒防止板２１と、転倒防止板２１の前後方向の中間部のやや後側から上方に延出する脚部２２と、脚部２２の上側であって本体１２の上部に脚部２２よりも前方に突出するように設けられた頭部２３とを有している。
【００５４】
本体１２は、その下部の脚部２２よりも更に下側の下端の転倒防止板２１と、脚部２２よりも上側の頭部２３とが脚部２２よりも前方に突出している。これにより、転倒防止板２１の上面と、脚部２２の前面と、頭部２３の下面とが、本体１２の前面下部に後方に凹む足入れ凹部２４を形成している。足入れ凹部２４には、自動契約装置１１の前に立った使用者が足を入れることになり、これにより、使用者は、より頭部２３に近づいた楽な姿勢での操作が可能となる。本体１２は、脚部２２の前面と頭部２３の下面との境界位置に、下部つまり使用者の足元に向けて光を照射するように設置される白色ＬＥＤからなる外部ＬＥＤ２５（外部光源）を有している。
【００５５】
本体１２の上面を構成する頭部２３の主上面２３ａは、平坦面となっており、前から後ろに向けて後ろ上がりに傾斜している。図２に示すように、頭部２３の前後方向の中間部から後部には、主上面２３ａよりも下方に凹む矩形枠状の環状段差部３０と、環状段差部３０の内側で環状段差部３０よりも更に下方に凹む凹状部３１とが形成されている。凹状部３１の内側は、空間部３２となっている。
【００５６】
本体１２に形成された凹状部３１は、水平な底面３１ａと、底面３１ａの後端で左右に延びる後端縁部から鉛直上方に延出する後面３１ｂと、底面３１ａの左端で前後に延びる左端縁部から鉛直上方に延出する側面３１ｃと、図３に示すように底面３１ａの右端の前後に延びる右端縁部から鉛直上方に延出する側面３１ｄとを有している。凹状部３１のこれら底面３１ａ、後面３１ｂ及び側面３１ｃ，３１ｄが空間部３２を形成している。空間部３２は、上方かつ前方に斜めに開口する開口部３３を有している。
【００５７】
蓋体１３は、矩形薄板状をなしており、長辺側の一端縁部が、頭部２３の上端に設けられた左右方向に沿う図示略の支持軸で本体１２に支持されている。支持軸は、凹状部３１よりも後側に配置されており、蓋体１３は、この支持軸を中心に回動する。蓋体１３は、凹状部３１の開口部３３よりも一回り大きく環状段差部３０とほぼ同等の大きさとなっている。蓋体１３は、支持軸から図１に示すように前下がりに延出する状態になって図２，図３に示す環状段差部３０に当接すると空間部３２の開口部３３を閉塞することになる。この閉塞時に、蓋体１３は、図１に示すように頭部２３の主上面２３ａと面一になる。また、蓋体１３は、支持軸から図２，図３に示すように上方に延出する状態になって環状段差部３０から離れると、空間部３２の開口部３３を開放することになる。つまり、本体１２の上部に支持された蓋体１３は、回動可能であって回動することにより空間部３２の開口部３３を開閉する。
【００５８】
本体１２は、蓋体１３を図１に示す閉状態でロックする図４に示すロック部３５を有している。ロック部３５は、図１に示す本体１２の環状段差部３０の前端部に設けられており（図１では図示せず）、蓋体１３の支持軸とは反対側の先端部に設けられた被吸着部を電磁的に吸着する。ロック部３５は、蓋体１３を閉状態で開放不可にロックするものであり、蓋体１３は、ロック部３５によるロックが解除されると開放可能となる。本体１２は、蓋体１３の開閉を検知する図４に示す開閉検知部３６を有している。開閉検知部３６は、蓋体１３が閉状態にあるか否かを検知する。
【００５９】
図１〜図３に示すように、本体１２は、頭部２３の凹状部３１よりも前側の主上面２３ａ上に、内線電話４０の受話器４１を有している。受話器４１は、頭部２３の左端部に設けられている。本体１２は、受話器４１の右隣りに非接触型カードリーダ４２及びＬＥＤ４３を有している。これらは主上面２３ａの一部を構成するように配置されており、非接触型カードリーダ４２よりも前にＬＥＤ４３が設けられている。非接触型カードリーダ４２は、ＩＣカードが近づけられるとＩＣカードのＩＣから非接触でデータを読み出すＩＣカードリーダである。ＬＥＤ４３は、非接触型カードリーダ４２へのＩＣカードの読み取りを促す際に例えば点滅する。
【００６０】
本体１２の筐体２０には、非接触型カードリーダ４２及びＬＥＤ４３の右隣りに、頭部２３の主上面２３ａよりも下方に凹む中間凹状部４４が形成されている。中間凹状部４４は前方に抜けている。本体１２は、この中間凹状部４４の水平な底面にテンキー４５を有している。テンキー４５は、本体１２の幅方向つまり左右方向の略中央位置に設けられている。本体１２の筐体２０には、受話器４１、ＬＥＤ４３及び中間凹状部４４の前方に、印刷部５５の排紙口５６が形成されている。排紙口５６は頭部２３の前端位置で左右方向に延びている。本体１２は、排紙口５６及びその後方に、書類を印刷して発行する排紙口５６を含む印刷部５５を有している。印刷部５５が発行する書類は、申込書や契約書や受領書などである。
【００６１】
本体１２の筐体２０には、中間凹状部４４の右隣りであって頭部２３の最も右前側位置に、頭部２３の主上面２３ａよりも下方に凹む右側凹状部５１が形成されている。右側凹状部５１は前方に抜けている。本体１２は、この右側凹状部５１の前方に向く後面に、接触型カードリーダ５２のカード入出口５３を有している。本体１２は、頭部２３の最も右側位置に、主上面２３ａの右側凹状部５１よりも後側の部分を形成するようにＬＥＤ５７を有している。
【００６２】
接触型カードリーダ５２は、カード入出口５３に磁気カードが挿入されると、これを引き込むように移動させ、この移動を利用して磁気カードを走査することにより磁気カードから磁気データを読み出す。ＬＥＤ５７は、カード入出口５３への磁気カードの挿入を促す際や、カード入出口５３からの磁気カードの取り出しを促す際に、例えば点滅する。
【００６３】
本体１２の筐体２０には、頭部２３の右側位置のＬＥＤ５７よりも後側に、頭部２３の主上面２３ａよりも下方に凹む操作用凹部６０が形成されている。操作用凹部６０は、図２，図３に示す環状段差部３０の右端位置の前方に、環状段差部３０と連続するように配置されている。環状段差部３０に当接し空間部３２の開口部３３を閉塞した状態の蓋体１３は、図１に示すようにその右側前端部が操作用凹部６０内に入り込んで前方に突出する。これにより、使用者は、操作用凹部６０内に手を差し込めば蓋体１３の右側前端部を取っ手として下方から引き上げることができ、蓋体１３を容易に開くことができる。
【００６４】
本体１２は、図２，図３に示すように、その凹状部３１の底面３１ａの中間所定範囲に、読み取り対象書類が載置される載置部６１を有している。凹状部３１の内側の空間部３２は、読み取り対象書類を収容可能であり、言い換えれば、凹状部３１を含む本体１２には、読み取り対象書類がセットされる空間部３２が設けられている。
【００６５】
読み取り対象書類は、この自動契約装置１１で本人確認を行う際に読み取るものであり、例えば、運転免許証や健康保険証などの本人確認書類、申込書、契約書などである。読み取り対象書類は、読み取られる面を下向きにして載置部６１上に載置される。載置部６１はガラス板などの透明な板材からなっており、載置部６１の下方には、載置部６１に載置された読み取り対象書類に向け光を照射してその反射光を取り込むことにより読み取り対象書類を読み取るスキャナである図４に示す読取部６２が設けられている。
【００６６】
図２に示すように、本体１２は、凹状部３１の後面３１ｂの中間所定範囲に内部ＬＥＤ６５（本体光源）を有しており、側面３１ｃの中間所定範囲に内部ＬＥＤ６６（本体光源）を有している。また、本体１２は、図３に示すように、側面３１ｄの中間所定範囲に内部ＬＥＤ６７（本体光源）を有している。本体１２の空間部３２を形成する後面３１ｂ及び側面３１ｃ，３１ｄに設けられたこれらの内部ＬＥＤ６５〜６７は、白色ＬＥＤであり、白色に発光して空間部３２内を白色光で照らす。凹状部３１の後面３１ｂの内部ＬＥＤ６５を除く部分、側面３１ｃの内部ＬＥＤ６６を除く部分、側面３１ｄの内部ＬＥＤ６７を除く部分は、いずれも白色となっており、底面３１ａも載置部６１を除いて白色となっている。
【００６７】
本体１２は、頭部２３の主上面２３ａの凹状部３１よりも左側の後端部に、本体１２の前に立つ使用者の顔を撮影可能なカメラ７１を有している。カメラ７１は、図２，図３に示すように、頭部２３の主上面２３ａに外付けされていても良く、頭部２３に内蔵されていても良い。また、本体１２は、その前面側に、本体１２の前に使用者が存在するか否かを検出する図４に示す人感センサ７２を有している。また、本体１２は、その筐体２０の何れかの外面（上面、前面、後面、側面何れでも可）に、音声を出力する図４に示すスピーカ７３を有している。
【００６８】
図５に示すように、頭部２３の上部の後面は、前上がりに傾斜する傾斜面２３ｂとなっており、傾斜面２３ｂの左右方向に沿う下端縁部には、後方に突出する端末載置部７５が設けられている。傾斜面２３ｂと端末載置部７５の上面とがＬ字状をなしており、端末載置部７５に、自動契約装置１１とは別体の携帯可能なタブレット型の携帯端末８０が載置可能となっている。端末載置部７５に載置された携帯端末８０は、傾斜面２３ｂに立てかけられた状態で安定する。
【００６９】
図２，図３に示すように、本体１２は、凹状部３１内に、載置部６１に載置された読み取り対象書類を載置部６１に押さえ付ける押さえ板８１を有している。押さえ板８１は、矩形薄板状をなしており、アクリル板等の透明の板材からなっている。本体１２は、底面３１ａの載置部６１よりも後側にヒンジ８２を有しており、押さえ板８１は、長辺側の端縁部がヒンジ８２で底面３１ａに連結されている。押さえ板８１は、ヒンジ８２によって左右方向に沿う軸を中心に回動可能に支持されている。
【００７０】
本体１２は、押さえ板８１の左右両側と蓋体１３の左右両側とを連結させる一対の棒状の連動部材８３を有している。これらの連動部材８３で連結されることにより、蓋体１３が開くと連動して押さえ板８１も載置部６１から離れて開き、蓋体１３が閉まると連動して押さえ板８１も載置部６１に近づいて閉まる。つまり、蓋体１３が回動可能に連結された本体１２は、載置部６１に載置された読み取り対象書類を押える透明な押さえ板８１と、押さえ板８１と蓋体１３とを連結させ、蓋体１３の開閉に応じて連動して押さえ板８１を開閉させる連動部材８３とを有している。
【００７１】
本体１２は、その内部に、自動契約装置１１の全体を制御する図４に示す制御部８５を有している。制御部８５は、本体１２に含まれる、外部ＬＥＤ２５、ロック部３５、開閉検知部３６、内線電話４０、非接触型カードリーダ４２、ＬＥＤ４３、テンキー４５、接触型カードリーダ５２、印刷部５５、ＬＥＤ５７、読取部６２、内部ＬＥＤ６５〜６７、カメラ７１、人感センサ７２及びスピーカ７３と接続されており、これらを制御する。一例として、自動契約装置１１の状態に応じて内部ＬＥＤ６５〜６７の明るさを変えて発光させたり消灯させたりする。
【００７２】
蓋体１３は、図６に示すように、中央に開口部１００を有する矩形枠状のフレーム１０１と、蓋体１３の厚さ方向に積層されてフレーム１０１に取り付けられるタッチパネル１０２、液晶パネル１０３及び調光シート１０４とを有している。タッチパネル１０２、液晶パネル１０３及び調光シート１０４は、フレーム１０１の開口部１００の位置に、これらで開口部１００を埋めるように設けられている。タッチパネル１０２、液晶パネル１０３及び調光シート１０４は、開口部１００の内側範囲が、使用者による操作を受け付けると共に使用者に向けて表示を行う操作表示部１０５となっている。
【００７３】
操作表示部１０５において、タッチパネル１０２、液晶パネル１０３及び調光シート１０４は、この順に積層されており、蓋体１３が閉状態にあるとき、最も使用者側となる上面側にタッチパネル１０２が、最も使用者とは反対側となる下面側に調光シート１０４が、それぞれ配置され、これらの間に液晶パネル１０３が配置される。言い換えれば、調光シート１０４の厚さ方向の一方に液晶パネル１０３が配置され、液晶パネル１０３の調光シート１０４とは反対側にタッチパネル１０２が配置されている。更に言い換えれば、蓋体１３は、閉状態にあるとき、液晶パネル１０３の使用者側となる上部にタッチパネル１０２が配置され、液晶パネル１０３の使用者とは反対側となる下部に調光シート１０４が配置される。
【００７４】
タッチパネル１０２は無色透明であり、使用者が触れた位置を検出する。
【００７５】
液晶パネル１０３は、画像（静止画像）及び映像（動画）の少なくともいずれか一方をカラーで表示するものである。液晶パネル１０３は、厚さ方向の一側にいる使用者が厚さ方向の他側にあるものをこの液晶パネル１０３を通して視認可能な透過型となっている。液晶パネル１０３は画像や映像の白色エリアが無色透明な透明エリアを形成可能であり、この透明エリアが最も透過する。つまり、液晶パネル１０３の透明エリアは、その厚さ方向の一側にいる使用者に厚さ方向の他側にあるものを視認させることが可能となる。
【００７６】
調光シート１０４は、透過状態と不透過状態とに切り替え可能であり、給電のＯＮ／ＯＦＦが切り替わることで、透過／不透過状態が切り替わる。具体的に、調光シート１０４は、給電状態で、ほぼ無色透明な透過状態となり、この透過状態では、厚さ方向の一側にいる使用者が厚さ方向の他側にあるものをこの調光シート１０４を通して視認可能となる。また、調光シート１０４は、給電停止状態で、白色（または乳白色）の不透過状態となり、この不透過状態では、厚さ方向の一側にいる使用者が厚さ方向の他側にあるものをこの調光シート１０４を介しては視認不可となる。調光シート１０４は、液晶層を二枚のプラスチックフィルムの間にコーティングしたものである。なお、調光シート１０４は、液晶パネル１０３の全面に配置する構成に限らず、液晶パネル１０３の反射板の一部を調光シート１０４で形成するようにしても良い。この場合、給電のＯＮ／ＯＦＦが切り替わることで、調光シート１０４の配置された部分のみが透過／不透過状態に切り替え可能になる。
【００７７】
蓋体１３は、これが閉状態にあるときの使用者とは反対側となる裏面に蓋体ＬＥＤ１１１（蓋体光源）を有している。蓋体ＬＥＤ１１１は、フレーム１０１の開口部１００の縁部に全周に亘って設けられている。蓋体ＬＥＤ１１１は、白色ＬＥＤであり、白色に発光して開口部１００の中央の方向を白色光で照らす。
【００７８】
蓋体１３は、図１に示すように閉状態にあるときに、本体１２の頭部２３の主上面２３ａと面一になり、よって、後ろ上がりに傾斜する。これに対し、本体１２の図２，図３に示す凹状部３１の後面３１ｂは鉛直に広がっている。よって、閉状態にある蓋体１３は、本体１２の空間部３２を形成する後面３１ｂに対して平行ではなく傾斜して配置されている。
【００７９】
本体１２に設けられた図４に示す制御部８５は、蓋体１３に含まれるタッチパネル１０２、液晶パネル１０３、調光シート１０４及び蓋体ＬＥＤ１１１に接続されており、これらを制御する。制御部８５は、図６に示す液晶パネル１０３及び調光シート１０４を共に透過状態にすることで、タッチパネル１０２、液晶パネル１０３及び調光シート１０４からなる操作表示部１０５を透過状態にする。図２，図３に示す押さえ板８１が透明であることから、操作表示部１０５がこの透過状態にあれば、蓋体１３及び押さえ板８１が閉状態にあっても、載置部６１に載置された読み取り対象書類を、タッチパネル１０２、液晶パネル１０３及び調光シート１０４からなる操作表示部１０５の、載置部６１とは反対側の一方から視認可能な状態となる。制御部８５は、蓋体１３の状態に応じて蓋体ＬＥＤ１１１の明るさを変えて発光させることも行う。
【００８０】
自動契約装置１１は、店舗内の図４に示す店舗サーバ１２０と通信可能に接続されている。店舗サーバ１２０は、店舗カウンタ内の店員のパーソナルコンピュータからなる店舗端末１２１やフロアに配置された店員が持っているタブレット型の携帯端末８０からアクセス可能となっている。自動契約装置１１の操作表示部１０５に表示されている画面を、店舗端末１２１や携帯端末８０でも見ることができ、店舗端末１２１や携帯端末８０によって自動契約装置１１を遠隔操作することも可能となっている。
【００８１】
次に、自動契約装置１１を用いて、本人確認及び申込書の記入を行う場合の具体例について説明する。
【００８２】
［ステップＳ１（待機モード）］
制御部８５は、所定時間以上、人感センサ７２によって人が検知されず、タッチパネル１０２がタッチ操作されない場合、自動契約装置１１を待機モードにする。この待機モードでは、制御部８５は、液晶パネル１０３の操作表示部１０５を構成する部分に、初期画面として、図７に示すように、使用者への各種案内を行う文字表示Ｘ１１を表示させ、「お申し込みを開始する。」の文字を含むボタン表示Ｘ１２を表示させると共に、調光シート１０４を白色の不透過状態にし、内部ＬＥＤ６５〜６７及び蓋体ＬＥＤ１１１を１０％程度の明るさにする。また、待機モードでは、蓋体１３が開けられて空間部３２内に物が入れられる等のいたずらを防止するために、蓋体１３を閉状態でロック部３５によって本体１２にロックする。なお、内部ＬＥＤ６５〜６７及び蓋体ＬＥＤ１１１をＯＦＦ（０％の明るさ）にして真っ暗な画面で待機するようにしても良い。つまり、内部ＬＥＤ６５〜６７及び蓋体ＬＥＤ１１１は、待機時に明るさを抑え、制御部８５は、待機時にロック部３５によって蓋体１３を閉状態にロックする。
【００８３】
［ステップＳ２（操作モード）］
待機モードから、人感センサ７２が人を検知したり、タッチパネル１０２がタッチ操作されたりすると、制御部８５は、自動契約装置１１を操作モードにする。この操作モードでは、制御部８５は、調光シート１０４を白色の不透過状態としたまま、内部ＬＥＤ６５〜６７及び蓋体ＬＥＤ１１１を１００％の明るさに切り替える。つまり、人感センサ７２が人を検知したり、タッチパネル１０２がタッチ操作されたりすると、内部ＬＥＤ６５〜６７及び蓋体ＬＥＤ１１１の明るさを待機モードよりも明るくする。このとき、内部ＬＥＤ６５〜６７は、液晶パネル１０３及びその裏側の白色の不透過状態にある調光シート１０４を裏側から明るく照らし、液晶パネル１０３に表示する文字を含む画像や映像等を見やすくするバックライトとなる。これにより、初期画面の文字表示Ｘ１１やボタン表示Ｘ１２が視認しやすくなる。それと共に、制御部８５は、受け付け可能になった旨の「いらっしゃいませ。」なる音声をスピーカ７３から出力し、更に、防犯上又は証明書との顔照合のために、カメラ７１によって使用者の撮影を開始して店舗サーバ１２０に映像を送信し、今回の処理の識別情報に関連付けて記憶させる。
【００８４】
そして、制御部８５は、上記した初期画面の「お申し込みを開始する。」の文字を含むボタン表示Ｘ１２がタッチ操作されると、調光シート１０４を白色の不透過状態としたまま、液晶パネル１０３の操作表示部１０５を構成する部分に、図８に示す契約条件画面を表示させる。契約条件画面は、契約条件の詳細を説明する文字表示Ｘ２１と、「次に進む。」の文字を含むボタン表示Ｘ２２とを有している。
【００８５】
［ステップＳ３（証明書の選択モード）］
制御部８５は、契約条件画面の「次に進む。」の文字を含むボタン表示Ｘ２２がタッチ操作されると、自動契約装置１１を証明書の選択モードにする。この証明書の選択モードでは、制御部８５は、調光シート１０４を白色の不透過状態としたまま、液晶パネル１０３の操作表示部１０５を構成する部分に、図９に示す証明書選択画面を表示させる。証明書選択画面は、本人確認書類を選択させるための複数のボタン表示Ｘ３１〜Ｘ４３を含んでおり、最も左の最も上には、図１０に示すように、読み取り対象書類である本人確認書類として最も一般的に使用される運転免許証を選択するための「運転免許証」の文字を含むボタン表示Ｘ３１が表示されている。ここでは、一例として、この「運転免許証」の文字を含むボタン表示Ｘ３１がタッチ操作される場合について説明する。
【００８６】
制御部８５は、証明書選択画面において、「運転免許証」の文字を含むボタン表示Ｘ３１が選択されてタッチ操作されると、調光シート１０４を白色の不透過状態としたまま、液晶パネル１０３の操作表示部１０５を構成する部分に、図１１に示す証明書誘導画面を表示させる。証明書誘導画面は、運転免許証を載置部６１に載置することを促す文字表示Ｘ５１及びイラスト表示Ｘ５２と、「読み取りを開始する。」の文字を含むボタン表示Ｘ５３とを有している。
【００８７】
［ステップＳ４（証明書のセット指示モード）］
制御部８５は、証明書誘導画面の「読み取りを開始する。」の文字を含むボタン表示Ｘ５３がタッチ操作されると、自動契約装置１１を証明書のセット指示モードにする。この証明書のセット指示モードでは、制御部８５は、スピーカ７３から本人確認書類のセットを確認する旨の「運転免許証をリーダにセットしましたか？」なる音声を出力すると共に、調光シート１０４を透過状態に切り替え、液晶パネル１０３の操作表示部１０５を構成する部分に、図１２に示す証明書セット画面を表示させる。
【００８８】
証明書セット画面は、青色などの有色の有色領域Ｘ６１（図１２でハッチングを施した領域）と、有色領域Ｘ６１の内側の透明な透明領域Ｘ６２（図１２でハッチングを施していない領域）とを含んでおり、有色領域Ｘ６１には、本人確認書類のセットを確認する旨の文字表示Ｘ６３と、「読み取りを開始する。」の文字を含むボタン表示Ｘ６４とが表示されている。透明領域Ｘ６２は、本人確認書類である運転免許証が載置される載置部６１が外部から視認可能なように、証明書セット画面の一部である中央部に横長の矩形状に設けられている。透明領域Ｘ６２を横長の楕円状としても良い。制御部８５は、上記に加えて、ロック部３５による蓋体１３のロックを解除する。このように、液晶パネル１０３に、図１２に示す証明書セット画面を表示させた状態では、使用者が、透明なタッチパネル１０２、液晶パネル１０３の透明領域Ｘ６２及び透過状態の調光シート１０４を介して空間部３２内を視認可能となっている。なお、文字表示Ｘ６３及び／又はボタン表示Ｘ６４は、視認性の点から、有色領域Ｘ６１に表示されることが好ましいが、透明領域Ｘ６２に表示されるようにしても良い。また、証明書セット画面は、全面が透明領域Ｘ６２で構成され、透明領域Ｘ６２に文字表示Ｘ６３とボタン表示Ｘ６４とが表示されるようにしても良い。
【００８９】
［ステップＳ５（証明書のセット）］
証明書のセット指示モードにあるとき、使用者等によって蓋体１３が開かれて開閉検知部３６によって蓋体１３が開かれたことを検知すると、制御部８５は、使用者がまぶしくならないように、内部ＬＥＤ６５〜６７及び蓋体ＬＥＤ１１１の光を１０％程度の明るさに弱める。つまり、運転免許証が載置部６１にセットされる際には、内部ＬＥＤ６５〜６７及び蓋体ＬＥＤ１１１の光を弱める。そして、制御部８５は、蓋体１３が開かれ、運転免許証が載置部６１にセットされて、蓋体１３が閉められたことを、開閉検知部３６による蓋体１３の閉からの開、この開からの閉で検知すると、内部ＬＥＤ６５〜６７及び蓋体ＬＥＤ１１１の明るさを１００％つまり元に戻す。すなわち、内部ＬＥＤ６５〜６７及び蓋体ＬＥＤ１１１は、蓋体１３の開操作に連動して暗くなり、蓋体１３が開操作後に閉じられると明るくなる。制御部８５は、開閉検知部３６によって蓋体１３が開けられたことを検知すると、内部ＬＥＤ６５〜６７及び蓋体ＬＥＤ１１１を、蓋体１３が閉じられていたときよりも明るさを抑えて発光させる。
【００９０】
［ステップＳ６（証明書の読み取りの開始モード）］
制御部８５は、証明書のセット指示モードにあるときに、開閉検知部３６による蓋体１３の閉からの開、この開からの閉の検知後も、液晶パネル１０３に図１２に示す証明書セット画面を表示させた状態となっている。これにより、空間部３２内に設けられて載置部６１に載置された運転免許証は、透明領域Ｘ６２により、空間部３２の蓋体１３とは反対側の装置外側から視認可能となっている。この状態から、証明書のセット指示モードの証明書セット画面の「読み取りを開始する。」の文字を含むボタン表示Ｘ６４がタッチ操作されると、制御部８５は、自動契約装置１１を証明書の読み取りの開始モードにする。
【００９１】
証明書の読み取りの開始モードでは、制御部８５は、調光シート１０４を不透過状態に切り替えると共に、液晶パネル１０３の操作表示部１０５を構成する部分に、図１３に示す読み取り画面を表示させる。読み取り画面は、読み取り対象書類である本人確認書類を読み取り中である旨の文字表示Ｘ７１を含んでいる。それと共に、制御部８５は、読み取り時に蓋体１３が開けられて読み取りエラーを起こすことを防止するように蓋体１３をロック部３５によって本体１２にロックし、読取部６２によって、読み取り対象書類である運転免許証を読み取らせる。ここで、読取部６２による運転免許証の読み取りは、先ず１往復して読み取り対象書類の大きさを認識した後に、読み取り対象書類の大きさに応じて読み取りを行う。
【００９２】
［ステップＳ７（読み取り画像の確認モード）］
制御部８５は、読取部６２による運転免許証の読み取り後、自動契約装置１１を読み取り画像の確認モードにする。この読み取り画像の確認モードでは、制御部８５は、調光シート１０４を不透過状態としたまま、液晶パネル１０３の操作表示部１０５を構成する部分に、図１４に示す確認画面を表示させる。確認画面は、読取部６２が読み取った運転免許証の画像の画像表示Ｘ８１と、「ＯＫ」の文字を含むボタン表示Ｘ８２と、「再読込」の文字を含むボタン表示Ｘ８３とを表示する。そして、制御部８５は、「ＯＫ」の文字を含むボタン表示Ｘ８２が押されると読み取った運転免許証の画像データを店舗サーバ１２０に送信し、今回の処理の識別情報に関連付けて記憶させる。その一方で、制御部８５は、「再読込」の文字を含むボタン表示Ｘ８３がタッチ操作されると、読取部６２によって運転免許証を再度読み取らせる。「ＯＫ」の文字を含むボタン表示Ｘ８２がタッチ操作されるまで、読み取りを繰り返す。なお、確認画面には、運転免許証の位置を直したい場合や運転免許証に付着したゴミなどを取り除きたい場合に、上記［ステップＳ４（証明書のセット指示モード）］に戻り、ロック部３５による蓋体１３のロックを解除する「セットし直す」の文字を含むボタン表示を更に有するようにしても良い。
【００９３】
［ステップＳ８（証明書の取り出し指示モード）］
制御部８５は、確認画面で「ＯＫ」の文字を含むボタン表示Ｘ８２がタッチ操作されると、自動契約装置１１を証明書の取り出し指示モードにする。この証明書の取り出し指示モードでは、制御部８５は、スピーカ７３から本人確認書類の取り出しを促す旨の「運転免許証をリーダから抜き取って下さい。」なる音声を出力すると共に、調光シート１０４を透過状態に切り替え、液晶パネル１０３の操作表示部１０５を構成する部分に、図１５に示す証明書取り出し画面を表示させる。証明書取り出し画面は、青色などの有色の有色領域Ｘ９１（図１５でハッチングを施した領域）と、有色領域Ｘ９１の内側の透明な透明領域Ｘ９２（図１５でハッチングを施していない領域）とを含んでおり、有色領域Ｘ９１には、本人確認書類の取り出しを促す旨の文字表示Ｘ９３と、「次に進む。」の文字を含むボタン表示Ｘ９４とが表示されている。透明領域Ｘ９２は、運転免許証Ｚを載置させている載置部６１が外部から視認可能なように、証明書セット画面の一部である中央部に横長の矩形状に設けられている。透明領域Ｘ９２を横長の楕円状としても良い。制御部８５は、上記に加えて、ロック部３５による蓋体１３のロックを解除する。
【００９４】
このように、液晶パネル１０３に、図１５に示す証明書取り出し画面を表示させた状態では、使用者が、透明なタッチパネル１０２、液晶パネル１０３の透明領域Ｘ９２及び透過状態の調光シート１０４を介して、載置部６１に載置された運転免許証Ｚを視認可能となっている。制御部８５は、読取部６２によって読み取り対象書類を読み取った後の証明書の取り出し指示モードにおいて、液晶パネル１０３及び調光シート１０４を透過状態にして、載置部６１を液晶パネル１０３の一方から視認可能な状態にする。しかも、この状態で、制御部８５は、液晶パネル１０３の画像及び映像の少なくともいずれか一方の一部を透過状態にする。なお、文字表示Ｘ９３及び／又はボタン表示Ｘ９４は、視認性の点から、有色領域Ｘ９１に表示されることが好ましいが、透明領域Ｘ９２に表示されるようにしても良い。また、証明書取り出し画面は、全面が透明領域Ｘ９２で構成され、透明領域Ｘ９２に文字表示Ｘ９３とボタン表示Ｘ９４とが表示されるようにしても良い。
【００９５】
［ステップＳ９（証明書の取り出し）］
証明書の取り出し指示モードにあるとき、使用者等によって蓋体１３が開かれて開閉検知部３６によって蓋体１３が開かれたことを検知すると、制御部８５は、使用者がまぶしくならないように、内部ＬＥＤ６５〜６７及び蓋体ＬＥＤ１１１の光を１０％程度の明るさに弱める。つまり、運転免許証Ｚが空間部３２から取り出される際には、内部ＬＥＤ６５〜６７及び蓋体ＬＥＤ１１１の光を弱める。そして、制御部８５は、蓋体１３が開かれ、運転免許証Ｚが載置部６１から取り出されて、蓋体１３が閉められたことを、開閉検知部３６による蓋体１３の閉からの開、この開からの閉で検知すると、内部ＬＥＤ６５〜６７及び蓋体ＬＥＤ１１１の明るさを１００％つまり元に戻す。すなわち、内部ＬＥＤ６５〜６７及び蓋体ＬＥＤ１１１は、蓋体１３の開操作に連動して暗くなり、蓋体１３が開操作後に閉じられると明るくなる。制御部８５は、開閉検知部３６によって蓋体１３が開けられたことを検知すると、内部ＬＥＤ６５〜６７及び蓋体ＬＥＤ１１１を、蓋体１３が閉じられていたときよりも明るさを抑えて発光させる。
【００９６】
［ステップＳ１０（申込書の記入モード）］
制御部８５は、証明書の取り出し指示モードにあるときに、開閉検知部３６による蓋体１３の閉からの開、この開からの閉の検知後も、液晶パネル１０３に図１５に示す証明書取り出し画面を表示させた状態となっており、透明領域Ｘ９２により、載置部６１から運転免許証Ｚが取り出されていることを外から視認可能となっている。この状態から、証明書の取り出し指示モードの証明書取り出し画面の「次に進む。」の文字を含むボタン表示Ｘ９４がタッチ操作されると、制御部８５は、自動契約装置１１を申込書の記入モードにする。
【００９７】
申込書の記入モードでは、制御部８５は、調光シート１０４を不透過状態に切り替えると共に、液晶パネル１０３の操作表示部１０５を構成する部分に、図１６に示す情報入力画面を表示させる。情報入力画面は、使用者情報を入力させるもので、その一部は、運転免許証から読み取って自動的に入力されている（ＯＣＲ機能）。使用者は、自動入力された結果を確認・修正すると共に、その他の使用者情報を入力する。
【００９８】
制御部８５は、情報入力画面の「次に進む。」の表示を含むボタン表示Ｘ１０１がタッチ操作されると、図示略の次ページの情報入力画面を表示し、この次ページの情報入力画面の「前に戻る。」の表示を含むボタン表示Ｘ１０３が押されると、図１６に示す前ページの情報入力画面を表示する。図示は略すが、使用者情報を修正・入力する場合に使用者情報の枠に使用者が触れると、制御部８５は、液晶パネル１０３にソフトウェアキーボードを表示させることになり、ソフトウェアキーボードの表示に基づいてタッチパネル１０２がタッチ操作されると、タッチ操作に基づいて制御部８５は、入力された文字を判断する。
【００９９】
制御部８５は、情報入力画面の「申し込みを実行する。」の文字を含むボタン表示Ｘ１０２がタッチ操作されると、使用者情報を店舗サーバ１２０に送信して、今回の処理の識別情報に関連付けて記憶させると共に、使用者情報に基づいて作成された申込書を印刷部５５によって印刷して、調光シート１０４を不透過状態としたまま、液晶パネル１０３の操作表示部１０５を構成する部分に、図１７に示す印刷中画面を表示させる。印刷中画面では印刷中である旨の文字表示Ｘ１１１を表示させる。そして、制御部８５は、申込書を排紙口５６から繰り出させることで申込書の印刷が終了すると、液晶パネル１０３の操作表示部１０５を構成する部分に、図１８に示す手続き完了画面を表示させる。手続き完了画面では、調光シート１０４を不透過状態としたまま、申し込み手続が終了した旨の文字表示Ｘ１２１を表示させる。印刷された申込書には、処理識別情報が含まれている。
【０１００】
その後、有人店舗の場合、使用者は、上記印刷された申込書を確認し、必要に応じてサインや押印した後に、店舗カウンタ等の店員に申込書を渡す。すると、店員は、店舗端末１２１を利用して店舗サーバ１２０に、この申込書に記載された処理識別情報に関連付けて記憶されている使用者情報、運転免許証の画像データ、使用者を撮影した画像・映像、申込書等に基づいて審査を行い、合格の場合、通帳を発行して使用者に渡し、後日、カード（キャッシュカード、ローンカード）を使用者に郵送する。
【０１０１】
無人店舗の場合、使用者は、申込書を確認し、必要に応じてサインや押印した後に、店舗に設置されたポストに申込書を投函する。すると、店員は、後日、店舗端末１２１を利用して店舗サーバ１２０に記憶されている使用者情報、運転免許証の画像データ、使用者を撮影した画像・映像、申込書等に基づいて審査を行い、合格の場合、通帳及びカード（キャッシュカード、ローンカード）を使用者に郵送する。
【０１０２】
以上のようにして自動契約装置１１を利用した口座の開設が終了する。
【０１０３】
以上に述べた実施形態によれば、制御部８５が、液晶パネル１０３及び調光シート１０４を透過状態にして、載置部６１に載置された読み取り対象書類を透過型の液晶パネル１０３の一方から視認可能な状態にすることで、載置部６１にセットされた読み取り対象書類を使用者に視認可能にすることができる。よって、読み取り対象書類の取り忘れを防止することができる。また、液晶パネル１０３に画像及び映像の少なくともいずれか一方を表示しつつ、載置部６１にセットされた読み取り対象書類を使用者に視認可能にすることができるため、表示機構と取り忘れ防止機構とを兼用することができる。よって、液晶パネル１０３とは別に別途取り忘れ防止機構を搭載する場合よりも、費用を削減することができ、装置のスペース効率を上げることができる。
【０１０４】
また、制御部８５が、液晶パネル１０３の画像及び映像の少なくともいずれか一方の一部を透過状態にするため、液晶パネル１０３の残りの部分で表示を行うことができる。
【０１０５】
また、制御部８５が、読取部６２によって読み取り対象書類を読み取る前に、載置部６１を透過型の液晶パネル１０３の一方から視認可能な状態にするため、読み取り前に、載置部６１への読み取り対象書類の載置を促すことができる。
【０１０６】
また、読み取り対象書類がセットされる空間部３２が設けられた本体１２に載置部６１と読取部６２と制御部８５とを設け、この本体１２の空間部３２の開口部３３を、透過型の液晶パネル１０３と調光シート１０４とを有する蓋体１３によって開閉することになるため、構成を簡素化することが可能となる。
【０１０７】
また、蓋体１３の液晶パネル１０３の前方にタッチパネル１０２が配置されているため、操作性が良くなる。
【０１０８】
また、本体１２の空間部３２を形成する後面３１ｂ及び側面３１ｃ，３１ｄに内部ＬＥＤ６５〜６７を更に有するため、蓋体１３全体に均一に光を照射することができる。
【０１０９】
また、制御部８５が、開閉検知部３６によって蓋体１３が開けられたことを検知すると、内部ＬＥＤ６５〜６７を蓋体１３が閉じられていたときよりも明るさを抑えて発光させるため、使用者が眩しく感じることを防止できる。
【０１１０】
また、蓋体１３が、本体１２の空間部３２を形成する後面３１ｂに対して傾斜して配置されているため、使用者の液晶パネル１０３への目線の先に後面３１ｂの内部ＬＥＤ６５がなくなり、透過状態の液晶パネル１０３を見る際や蓋体１３を開けて載置部６１を見る際に、使用者が、後面３１ｂの内部ＬＥＤ６５からの光を眩しく感じることを防止できる。
【０１１１】
また、蓋体１３が、裏面に蓋体ＬＥＤ１１１を更に有するため、蓋体１３全体に均一に光を照射することができる。
【０１１２】
また、連動部材８３が蓋体１３の開閉に応じて連動して押さえ板８１を開閉させるため、蓋体１３を閉じることで、載置部６１に載置された読み取り対象書類を自動的に押さえ板８１で押えることができ、蓋体１３を開くことで載置部６１に載置された読み取り対象書類から自動的に押さえ板８１を離すことができる。
【０１１３】
また、待機時、及び、読取部による読み取り対象書類の読み取り時に、制御部８５が、ロック部３５によって蓋体１３をロックするため、不必要に蓋体１３が開かれてしまうことを防止できる。
【０１１４】
また、本体１２が、書類を印刷する印刷部５５を更に有するため、印刷部５５で書類を印刷することができる。
【０１１５】
以上の実施形態を以下の変形例のように変更することができる。
【０１１６】
制御部８５が、読み取り終了後に所定時間（例えば１０分）以上経過しても運転免許証が取り出されない場合、例えば、上記したステップＳ９において、所定時間以上経過しても開閉検知部３６によって蓋体１３が開かれたことを検知していない場合や、上記したステップＳ１０において、所定時間以上経過しても、図１５に示す証明書取り出し画面の「次に進む。」の文字を含むボタン表示Ｘ９４がタッチ操作されていない場合、ロック部３５によって蓋体１３をロックするようにしても良い。その際に、制御部８５は、店員の店舗端末１２１及び携帯端末８０の少なくともいずれか一方に、当該制御部８５が設けられた自動契約装置１１に取り忘れがある旨の報告をし、店員によって読み取り対象書類が自動契約装置１１から取り出されるまで処理を一時停止し、調光シート１０４を不透過状態に切り替え、透過型の液晶パネル１０３に処理が停止している旨のメッセージを有色で表示した一時停止画面を表示する。これにより、使用者の個人情報を保護することができる。つまり、待機時、及び、読取部６２による読み取り対象書類の読み取り時に加えて、読取部６２によって読み取り対象書類が読み取られた後に所定時間以上経過したときに、制御部８５が、ロック部３５によって蓋体１３をロックするため、不必要に蓋体１３が開かれてしまうことを防止できる。
【０１１７】
本体１２の上面の、内線電話４０、非接触型カードリーダ４２、テンキー４５、接触型カードリーダ５２の配置位置は適宜変更可能である。非接触型カードリーダ４２と接触型カードリーダ５２とを別々に設ける代わりに、兼用の自走式のカードリーダを１つ設けるようにしても良い。生体認証部等、その他の機能を設けるようにしても良い。
【０１１８】
本体１２は、四角柱状が好ましいが、円柱状でも、三角柱状でも、五角以上の多角柱状でも良い。
【０１１９】
内部ＬＥＤ６５〜６７は、多色発光可能なＬＥＤでも良い。この場合、内部ＬＥＤ６５〜６７は、通常時は白色で発光するが、上記したステップＳ８などにおいて、取り忘れを防止するために、白色以外の、赤色、ピンク色、黄色、青色等で発光したり、白色以外の色で点滅させたり、所定時間毎に色を切り替えて発光したり、切り替えと点滅とを組み合わせて行ったりする。
【０１２０】
印刷部５５は、本体１２に内蔵していることが好ましいが、外付けであっても良い。
【０１２１】
本体１２が、蓋体１３を開閉駆動する開閉部を更に有するようにしても良い。開閉部は、例えば、蓋体１３を支持する支持軸に設けられたカムと、このカムを一方又は他方に回転駆動させて蓋体１３を開閉するモータとで構成されることになる。この場合、上記したステップＳ４において、図１２に示す証明書誘導画面の「読み取りを開始する。」の文字を含むボタン表示Ｘ６４がタッチ操作されると、制御部８５は、開閉部によって蓋体を１ｃｍ〜２ｃｍ程度、自動的に開ける。これにより、蓋体１３を開けて読み取り対象書類を載置部６１にセットする動作をより明確に誘導する。
【０１２２】
また、この場合、上記したステップＳ５及びステップＳ９において、制御部８５が、所定時間（例えば１０分）以上、蓋体１３の開放状態が続いたことを開閉検知部３６の検知結果に基づいて検知した場合、開閉部によって蓋体１３を自動的に閉める。更に、ステップＳ９において、制御部８５が、読み取り対象書類を取り忘れたまま所定時間以上、蓋体１３の開放状態が続いたことを開閉検知部３６の検知結果に基づいて検知した場合、開閉部によって蓋体１３を自動的に閉め、ロック部３５によって蓋体１３をロックし、店員の店舗端末１２１及び携帯端末８０の少なくともいずれか一方に、当該制御部８５が設けられた自動契約装置１１に取り忘れがある旨の報告をし、店員によって読み取り対象書類が自動契約装置１１から取り出されるまで処理を一時停止する。これにより、使用者の個人情報を保護することができる。なお、自動契約装置１１は、蓋体１３を自動的に開閉する開閉部を有することに伴って、指挟みを検知して開閉部を停止させる指挟み防止センサをも有することになる。
【０１２３】
読取部６２によって本人確認書類を読み取ること以外に、あるいはこれに加えて、必要に応じてサインや押印した申込書を載置部６１に載置させて読取部６２によって読み取らせるようにしても良い。更に、申込書を読取部６２によって読み取らせて店員によって審査された後に、印刷部５５によって契約書を印刷し、必要に応じてサインや押印した契約書を載置部６１に載置させて読取部６２によって読み取らせるようにしても良い。これらの場合も本人確認書類の読み取り時と同様に、読み取り後に、透過型の液晶パネル１０３の一部を透過状態に切り替えると共に調光シート１０４を透過状態に切り替え、透明領域により、載置部６１にセットされた書類を外部から視認可能にすることで、取り忘れを防止することができる。
【０１２４】
本体１２は、キャッシュカードやローンカード等のカード発行部を更に有するようにしても良い。これにより、自動契約装置１１のカード発行部でカードを発行することができるため、本人確認からカード発行までの一連の処理をこの一台の自動契約装置１１で行うことができる。この場合、カード入出口５３の後方に、接触型カードリーダ５２に加えてカード発行部を設けても良い。カード発行部は、本体１２内に設けられたブランクの磁気カードに所定の情報を記憶させてカード入出口５３から発行する。
【０１２５】
図１９に示すように、自動契約装置１１が、本体１２に隣接して設置される補助部としての作業台１２Ａを備えるようにしても良い。作業台１２Ａは、上面に平坦な作業部１５１Ａが設けられており、それ以外は本体１２とほぼ同じ形状となっている。作業台１２Ａは、フロア上に設置されてフロアから上方に延出する脚部２２Ａと、脚部２２Ａの上側であって作業台１２Ａの上部に脚部２２Ａよりも前方に突出するように設けられた頭部２３Ａとを有している。脚部２２Ａよりも上側の頭部２３Ａが脚部２２Ａよりも前方に突出しており、よって、作業台１２Ａは、前面下部に、後方に凹む足入れ凹部２４Ａをフロアとで形成している。
【０１２６】
このように、自動契約装置１１が補助部として作業台１２Ａを更に備えることにより、この作業台１２Ａで補助的な作業を行うことができる。つまり、作業台１２Ａは、上面に平坦な作業部１５１Ａを有するため、この作業部１５１Ａで補助的な作業を行うことができる。作業部１５１Ａは、例えば各種書類に必要事項を記載する際に使用する作業スペースとなる。ここで、本体１２に印刷部５５を設ける代わりに、作業台１２Ａに印刷部を設けるようにしても良い。この場合、紙を排出する排紙口５６を作業台１２Ａの頭部２３Ａの前面又は上面に設けるようにする。また、印刷部は、作業台１２Ａに内蔵であっても、作業部１５１Ａ上に一体又は別体に配置するようにしても良い。本体１２にカード発行部を設ける代わりに、作業台１２Ａにカード発行部を設けるようにしても良い。
【０１２７】
図２０に示すように、自動契約装置１１が、本体１２に隣接して設置される補助部として、紙幣を入出金可能な貨幣処理機である紙幣処理部１２Ｂを備えるようにしても良い。紙幣処理部１２Ｂは、上面に平坦な作業部１５１Ｂが設けられており、本体１２とほぼ同じ形状となっている。紙幣処理部１２Ｂは、その底部に設けられてフロア上に水平に広がるように設置される平板状の転倒防止板２１Ｂと、転倒防止板２１Ｂの前後方向の中間部のやや後側から上方に延出する脚部２２Ｂと、脚部２２Ｂの上側であって紙幣処理部１２Ｂの上部に脚部２２Ｂよりも前方に突出するように設けられた頭部２３Ｂとを有している。脚部２２Ｂよりも下側の下端の転倒防止板２１Ｂと、脚部２２Ｂよりも上側の頭部２３Ｂとが脚部２２Ｂよりも前方に突出しており、よって、紙幣処理部１２Ｂは、前面下部に後方に凹む足入れ凹部２４Ｂを有している。頭部２３Ｂの前部の上面に、紙幣が機外から投入され、紙幣が機内から繰り出される紙幣入出金口１５２Ｂが設けられている。自動契約装置１１の制御部８５は、紙幣処理部１２Ｂと接続され、紙幣処理部１２Ｂを制御する。また、制御部８５は、操作表示部１５に、各種取引メニューを示す取引画面（図示略）を表示する機能を有する。使用者が取引画面から取引メニューを選択して必要な情報を入力すると、制御部８５は、紙幣処理部１２Ｂに対して当該取引メニューにかかる入出金コマンドを送信し、紙幣処理部１２Ｂでの紙幣の入出金を可能にする。
【０１２８】
このように、自動契約装置１１が補助部として紙幣処理部１２Ｂを更に備えることにより、この紙幣処理部１２Ｂで補助的な作業を行うことができる。つまり、紙幣処理部１２Ｂは、上面に平坦な作業部１５１Ｂを有するため、この作業部１５１Ｂで補助的な作業を行うことができる。作業部１５１Ｂも、例えば各種書類に必要事項を記載する際に使用する作業スペースとなる。また、紙幣処理部１２Ｂで貨幣処理として紙幣の入出金を行うことができる。例えば、使用者は、自動契約装置１１の紙幣処理部１２Ｂによって、キャッシングカードを利用した引き出し又は預け入れ処理を行うことができ、ローンカードを利用した借り入れ又は返済処理を行うことができる。なお、入金及び出金兼用の一つの紙幣入出金口１５２Ｂではなく、紙幣入金口と紙幣出金口とを別々に設けるようにしても良い。
【０１２９】
ここで、本体１２に印刷部５５を設ける代わりに、紙幣処理部１２Ｂに印刷部を設けるようにしても良い。この場合、紙を排出する排紙口を紙幣処理部１２Ｂの頭部２３Ｂの前面又は上面の紙幣入出金口１５２Ｂとは異なる位置に設けるようにする。印刷部は、紙幣処理部１２Ｂに内蔵であっても、作業部１５１Ｂ上に一体又は別体に配置するようにしても良い。本体１２にカード発行部を設ける代わりに、紙幣処理部１２Ｂにカード発行部を設けるようにしても良い。作業台１２Ａと紙幣処理部１２Ｂとを併用するようにしても良い。
【０１３０】
図２１に示すように、自動契約装置１１が、本体１２に隣接して設置される補助部として、紙幣及び硬貨を入出金可能な貨幣処理機である紙幣硬貨処理部１２Ｃを備えるようにしても良い。紙幣硬貨処理部１２Ｃは、上面に平坦な作業部１５１Ｃが設けられており、上面の作業部１５１Ｃよりも前方に、硬貨が機外から投入される硬貨入金口１５２Ｃが設けられている。また、前面の硬貨入金口１５２Ｃよりも下側に硬貨を機内から繰り出す硬貨出金口１５３Ｃが設けられている。また、紙幣硬貨処理部１２Ｃは、硬貨出金口１５３Ｃよりも下側が前方に突出する突出部１５４Ｃとなっており、この突出部１５４Ｃの上面に紙幣が機外から投入される紙幣入金口１５５Ｃが設けられ、この突出部１５４Ｃの前面に、紙幣を機内から繰り出す紙幣出金口１５６Ｃが設けられている。自動契約装置１１の制御部８５は、紙幣硬貨処理部１２Ｃと接続され、紙幣硬貨処理部１２Ｃを制御する。また、制御部８５は、操作表示部１５に、各種取引メニューを示す取引画面（図示略）を表示する機能を有する。使用者が取引画面から取引メニューを選択して必要な情報を入力すると、制御部８５は、紙幣硬貨処理部１２Ｃに対して当該取引メニューにかかる入出金コマンドを送信し、紙幣硬貨処理部１２Ｃでの紙幣及び硬貨の入出金を可能にする。
【０１３１】
このように、自動契約装置１１が補助部として紙幣硬貨処理部１２Ｃを更に備えることにより、この紙幣硬貨処理部１２Ｃで補助的な作業を行うことができる。つまり、紙幣硬貨処理部１２Ｃは、上面に平坦な作業部１５１Ｃを有するため、この作業部１５１Ｃで補助的な作業を行うことができる。作業部１５１Ｃも、例えば各種書類に必要事項を記載する際に使用する作業スペースとなる。また、紙幣硬貨処理部１２Ｃで貨幣処理として紙幣の入出金及び硬貨の入出金を行うことができる。例えば、使用者は、自動契約装置１１の紙幣硬貨処理部１２Ｃによって、キャッシングカードを利用した引き出し又は預け入れ処理を行うことができ、ローンカードを利用した借り入れ又は返済処理を行うことができる。なお、紙幣入金口１５５Ｃ及び紙幣出金口１５６Ｃの代わりに、これらを兼用する紙幣入出金口を設けるようにしても良い。
【０１３２】
ここで、本体１２に印刷部５５を設ける代わりに、紙幣硬貨処理部１２Ｃに印刷部を設けるようにしても良い。この場合、印刷部は、紙幣硬貨処理部１２Ｃに内蔵であっても、作業部１５１Ｃ上に一体又は別体に配置するようにしても良い。本体１２にカード発行部を設ける代わりに、紙幣硬貨処理部１２Ｃにカード発行部を設けるようにしても良い。作業台１２Ａと紙幣硬貨処理部１２Ｃとを併用するようにしても良い。
【０１３３】
本体１２の足入れ凹部２４に設けられて足元を照らす外部ＬＥＤ２５を、多色に発光する外部ＬＥＤ２５としても良い。この場合、制御部８５が、外部ＬＥＤ２５を自動契約装置１１の状態に応じて異なる色で発光させる。これにより、周囲の店員は、外部ＬＥＤ２５の色で、これが設けられた自動契約装置１１の状態を容易に確認することができる。例えば、外部ＬＥＤ２５を、待機時はＯＦＦ、通常処理時は白色、装置エラー時は赤色、使用者が操作に戸惑い操作開始から一定時間以上経過した場合や使用者が「呼出し（ヘルプ）」ボタンを押した場合はピンク色などに発光させる。また、例えば、非接触型カードリーダ４２あるいは接触型カードリーダ５２で読み取ったキャッシュカードやローンカードから、使用者が所謂ＶＩＰの顧客である場合には黄色に発光する。これにより、周囲の店員に自動契約装置１１の状況・状態を知らせることができる。その一方で、足元を照らすので使用者には気づかれ難い。外部ＬＥＤ２５を色の変化に加えて点滅させるようにしても良い。
【０１３４】
図２２に示すように、本体１２の両側面にそれぞれ覗き見を防止するための仕切板１６１を設けることも可能である。仕切板１６１は、有色半透明、無色半透明、有色透明、無色透明、不透明の何れかの板部材で構成されている。更に、各仕切板１６１に多色発光の仕切板ＬＥＤ（仕切板光源）を搭載することができる。制御部８５は、仕切板ＬＥＤを、多色発光の外部ＬＥＤ２５と同様に、装置の状況・状態に応じて異なる色で発光させる。これにより、周囲の店員は、仕切板ＬＥＤの色で、これが設けられた自動契約装置１１の状態を容易に確認することができる。例えば、仕切板ＬＥＤを、待機時はＯＦＦ、通常処理時は白色、装置エラー時は赤色、使用者が操作に戸惑い操作開始から一定時間以上経過した場合や使用者が「呼出し（ヘルプ）」ボタンを押した場合はピンク色、使用者が所謂ＶＩＰの顧客である場合は黄色などに発光させる。これにより、周囲の店員により確実に自動契約装置１１の状況・状態を知らせることができる。仕切板ＬＥＤを色の変化に加えて点滅させるようにしても良い。
【０１３５】
この場合、仕切板ＬＥＤを仕切板１６１の基端面（下面）に設けて仕切板の全体を発光させるようにしても良く、先端面だけを発光させるようにしても良く、先端面のエッジ部だけ発光させるようにしても良い。また、仕切板ＬＥＤを仕切板１６１の先端面に設けて仕切板１６１の先端面だけを発光させるようにしても良く、仕切板ＬＥＤを仕切板１６１の先端面のエッジ部に設けて仕切板１６１の先端面のエッジ部だけ発光させるようにしても良い。多色発光の仕切板ＬＥＤを搭載した仕切板を、本体１２の前面だけに設けても良く、両側面と前面とに設けても良い。多色発光の仕切板ＬＥＤを搭載した仕切板を本体１２の片側側面だけに設けても良い。
【０１３６】
また、制御部８５は、申込書を印刷部５５によって印刷する際に、申込書と共に、店舗のフロア等に設置された発券機と連動した受付番号を印字した番号券を発行するようにしても良い。
【符号の説明】
【０１３７】
１１…自動契約装置（読取装置）、１２…本体、１２Ａ…作業台（補助部）、１２Ｂ…紙幣処理部（補助部，貨幣処理機）、１２Ｃ…紙幣硬貨処理部（補助部，貨幣処理機）、１３…蓋体、２５…外部ＬＥＤ（外部光源）、３１ｂ…後面、３１ｃ，３１ｄ…側面、３２…空間部、３３…開口部、３５…ロック部、３６…開閉検知部、５５…印刷部、６１…載置部、６２…読取部、６５〜６７…内部ＬＥＤ（本体光源）、８１…押さえ板、８３…連動部材、８５…制御部、１０２…タッチパネル、１０３…液晶パネル、１０４…調光シート、１１１…蓋体ＬＥＤ（蓋体光源）、１５１Ａ，１５１Ｂ，１５１Ｃ…作業部、Ｚ…運転免許証（読み取り対象書類）。
【図１】
2017174183.tif 000003
【図２】
2017174183.tif 000004
【図３】
2017174183.tif 000005
【図４】
2017174183.tif 000006
【図５】
2017174183.tif 000007
【図６】
2017174183.tif 000008
【図７】
2017174183.tif 000009
【図８】
2017174183.tif 000010
【図９】
2017174183.tif 000011
【図１０】
2017174183.tif 000012
【図１１】
2017174183.tif 000013
【図１２】
2017174183.tif 000014
【図１３】
2017174183.tif 000015
【図１４】
2017174183.tif 000016
【図１５】
2017174183.tif 000017
【図１６】
2017174183.tif 000018
【図１７】
2017174183.tif 000019
【図１８】
2017174183.tif 000020
【図１９】
2017174183.tif 000021
【図２０】
2017174183.tif 000022
【図２１】
2017174183.tif 000023
【図２２】
2017174183.tif 000024